(57)【要約】【課題】電圧レベルの揺れを最小化して安定したガンマ基準電圧を発生させ，画質を向上させることのできる，ガンマ基準電圧発生回路及びガンマ基準電圧発生回路を備える平板表示装置を提供する。【解決手段】ガンマ基準電圧発生回路において，相異なる電圧レベルを有する２個の電源電圧ＶＣＣ，ＧＮＤの間に直列に接続される複数の抵抗によって，分圧されたガンマ基準電圧Ｖｒｅｆ１〜Ｖｒｅｆ（Ｎ−１）を出力する抵抗アレイＲ１〜ＲＮと，隣接する抵抗間の共通ノード，及び，２個の電源電圧ＶＣＣ，ＧＮＤの何れか一方の電源電圧の間に，各々接続される複数の第１キャパシタＣｎ１〜Ｃｎ（Ｎ−１）と，抵抗に各々並列に接続される複数の第２キャパシタ  Ｃｍ１〜Ｃｍ（Ｎ）と，を備える。【選択図】図３
2006313306.tif 000002
【特許請求の範囲】
【請求項１】
表示パネルを駆動するデータ信号にガンマ補正を加えるためのガンマ基準電圧発生回路において；
相異なる電圧レベルを有する２個の電源電圧の間に直列に接続される複数の抵抗によって，分圧されたガンマ基準電圧を出力する抵抗アレイと，
隣接する前記抵抗間の共通ノード，及び，前記２個の電源電圧の何れか一方の電源電圧の間に，各々接続される複数の第１キャパシタと，
前記抵抗に各々並列に接続される複数の第２キャパシタと，
を備えることを特徴とする，ガンマ基準電圧発生回路。
【請求項２】
前記第１キャパシタは，隣接する前記抵抗間の共通ノード，及び，前記２個の電源電圧の低準位の電源電圧の間に，各々接続されることを特徴とする，請求項１に記載のガンマ基準電圧発生回路。
【請求項３】
複数の前記抵抗は，同じ抵抗値を有することを特徴とする，請求項２に記載のガンマ基準電圧発生回路。
【請求項４】
複数の前記第１キャパシタは，同じキャパシタンス値を有することを特徴とする，請求項２または３に記載のガンマ基準電圧発生回路。
【請求項５】
複数の前記第２キャパシタは，同じキャパシタンス値を有することを特徴とする，請求項２〜４のいずれかに記載のガンマ基準電圧発生回路。
【請求項６】
前記第２キャパシタのキャパシタンス値は，前記第１キャパシタのキャパシタンス値より大きいことを特徴とする，請求項２〜５のいずれかに記載のガンマ基準電圧発生回路。
【請求項７】
前記第２キャパシタは，極性キャパシタからなることを特徴とする，請求項２〜６のいずれかに記載のガンマ基準電圧発生回路。
【請求項８】
複数のピクセルと，
各々の前記ピクセルが有するピクセル回路と，
前記ピクセル回路に伝えられるデータ信号に対応して階調を具現する表示パネルと，
前記表示パネルを駆動するデータ信号にガンマ補正を加えるために，ガンマ基準電圧を生成するガンマ基準電圧発生回路と，
前記ガンマ基準電圧及び階調データが入力されて，パネルを駆動するためのデータ信号を出力するデータドライバと，
を備え，
前記ガンマ基準電圧発生回路は，
相異なる電圧レベルを有する２個の電源電圧の間に直列に接続される複数の抵抗によって，分圧されたガンマ基準電圧を出力する抵抗アレイと，
隣接する前記抵抗間の共通ノード，及び，前記２個の電源電圧の何れか一方の電源電圧の間に，各々接続される複数の第１キャパシタと，
前記抵抗に各々並列に接続される複数の第２キャパシタと，
を備えることを特徴とする，平板表示装置。
【請求項９】
前記第１キャパシタは，隣接する前記抵抗間の共通ノード，及び，前記２個の電源電圧の低準位の電源電圧の間に，各々接続されることを特徴とする，請求項８に記載の平板表示装置。
【請求項１０】
複数の前記抵抗は，同じ抵抗値を有することを特徴とする，請求項９に記載の平板表示装置。
【請求項１１】
複数の前記第１キャパシタは，同じキャパシタンス値を有することを特徴とする，請求項９または１０に記載の平板表示装置。
【請求項１２】
複数の前記第２キャパシタは，同じキャパシタンス値を有することを特徴とする，請求項９〜１１のいずれかに記載の平板表示装置。
【請求項１３】
前記第２キャパシタのキャパシタンス値は，前記第１キャパシタのキャパシタンス値より大きいことを特徴とする，請求項９〜１２のいずれかに記載の平板表示装置。
【請求項１４】
前記第２キャパシタは，極性キャパシタからなることを特徴とする，請求項９〜１３のいずれかに記載の平板表示装置。
【請求項１５】
前記データドライバは，デジタル信号をアナログ信号に変換するＤＡコンバータを備え，前記ガンマ基準電圧発生回路は，前記ガンマ基準電圧を前記ＤＡコンバータに出力することを特徴とする，請求項８〜１４のいずれかに記載の平板表示装置。
【請求項１６】
前記ＤＡコンバータは，ガンマ基準電圧受信部を更に備えることを特徴とする，請求項１５に記載の平板表示装置。
【請求項１７】
前記データドライバは，
クロック信号に同期して，開始信号を順次にシフトさせて出力するシフトレジスタと，
前記シフトレジスタから出力された信号に同期して，階調データの出力を制御するラッチと，
を更に備えることを特徴とする，請求項１６に記載の平板表示装置。
【請求項１８】
前記ＤＡコンバータは，
第１電源と第２電源との間に，複数の分圧用抵抗が直列に接続された抵抗列と，
隣接する前記分圧用抵抗の共通ノードに各々接続され，前記分圧用抵抗によって分圧された電圧を選択して出力する複数のスイッチング素子と，
を備えることを特徴とする，請求項１７に記載の平板表示装置。
【請求項１９】
前記第１電源は，前記ガンマ基準電圧受信部が受信したガンマ基準電圧であることを特徴とする，請求項１８に記載の平板表示装置。
【請求項２０】
前記平板表示装置は，有機電界発光表示装置であることを特徴とする，請求項８〜１９のいずれかに記載の平板表示装置。
【発明の詳細な説明】
【技術分野】
【０００１】
本発明は，安定した基準電圧を出力するガンマ基準電圧発生回路，及びそれを備える平板表示装置に関する。
【背景技術】
【０００２】
平板表示装置は，パソコン，移動通信端末機などの表示装置として広く利用されている。最近では有機電界発光表示装置（Ｏｒｇａｎｉｃ  Ｌｉｇｈｔ  Ｅｍｉｔｔｉｎｇ  Ｄｉｓｐｌａｙ：有機ＥＬ）のような磁気発光素子を利用した表示装置に対する研究開発が行われている。有機ＥＬは，厚さ及び重量を増加させるバックライトを必要とせず，高速の応答性により，動画の再生に適しているという長所を有する。
【０００３】
図１は，従来の有機ＥＬ構造の一例を概略的に示している。図１に示すように，有機ＥＬは，表示パネル１１，スキャンドライバ１２及びデータドライバ１３を備え，表示パネル１１には，縦方向に複数のデータラインＤ［１］〜Ｄ［ｍ］，横方向に複数のスキャンラインＳ［１］〜Ｓ［ｎ］が延びている。
【０００４】
また，データラインＤ［１］〜Ｄ［ｍ］及びスキャンラインＳ［１］〜Ｓ［ｎ］によりピクセルが定義され，各ピクセルにはピクセル回路１４が形成されている。ピクセル回路１４は，トランジスタ素子，キャパシタ素子及び有機発光素子を備えてなる。一般的に，有機ＥＬの場合，データドライバ１３から供給されるデータ信号により，駆動トランジスタ素子のソース端子とゲート端子との間の電圧を調節し，それに対応する電流を流して前記有機発光素子を発光させる。
【０００５】
一方，データドライバ１３は，ガンマ基準電圧及び階調データが入力され，パネルを駆動するためのデータ信号をデジタル／アナログ変換して出力する。ガンマ基準電圧を生成するガンマ基準電圧発生回路を，図２を参照して説明する。図２は，従来のガンマ基準電圧発生回路の一例を示す回路図である。
【０００６】
図２に示すように，従来のガンマ基準電圧発生回路は，複数の抵抗Ｒ１〜ＲＮ（Ｎは，整数）が２個の電源電圧の間に直列連結されている。また，複数の抵抗Ｒ１〜ＲＮで隣接する抵抗間の共通ノードと，２個の電源電圧のうち，何れか一つの電源電圧との間に複数のキャパシタＣ１〜Ｃ（Ｎ−１）がそれぞれ連結されている。電源電圧のうち，何れか一つの電源電圧は，正極性の高い電源電圧ＶＣＣであり，他の電源電圧は，低い電源電圧であり，グラウンド電圧ＧＮＤからなることが一般的である。
【発明の開示】
【発明が解決しようとする課題】
【０００７】
前記のように構成されるガンマ基準電圧発生回路は，２個の電源電圧を複数の抵抗により分圧して，データドライバ１３に出力する。しかし，この場合，ガンマ基準電圧は，これを受信するデータドライバ１３の抵抗ロードにより，電圧が揺れるなどの不安定な状態で受信されることがある。このような現象が発生すれば，不安定に出力されたガンマ基準電圧によって変換されたデータ信号がピクセル回路１４に印加され，そのため，目的とする画像の階調を正しく具現できないという問題が発生する。
【０００８】
特に，前記のような問題点は，データ信号をデジタル／アナログ変換するにあたって，高速で動作する下位ビットに行くほど更に深刻になって，例えば有機ＥＬ画面の画質を大きく低下させる問題があった。
【０００９】
そこで，本発明は，このような問題に鑑みてなされたもので，その目的とするところは，安定したガンマ基準電圧を出力して，階調表現時に発生するエラーを減少させ，画質を向上させることのできる，ガンマ基準電圧発生回路，及びそれを備える平板表示装置を提供することである。
【課題を解決するための手段】
【００１０】
上記課題を解決するために，本発明のある観点によれば，表示パネルを駆動するデータ信号にガンマ補正を加えるためのガンマ基準電圧発生回路において；相異なる電圧レベルを有する２個の電源電圧の間に直列に接続される複数の抵抗によって，分圧されたガンマ基準電圧を出力する抵抗アレイと，隣接する抵抗間の共通ノード，及び，２個の電源電圧の何れか一方の電源電圧の間に，各々接続される複数の第１キャパシタと，抵抗に各々並列に接続される複数の第２キャパシタと，を備えることを特徴とする，ガンマ基準電圧発生回路が提供される。
【００１１】
こうして，ガンマ基準電圧を出力する抵抗アレイに，容量性素子として，抵抗間の共通ノード及び電源電圧の間に第１キャパシタを接続し，第２キャパシタを抵抗に並列に接続することにより，時定数を増加させるので，抵抗により分圧された電圧が緩やかな電圧上昇で第２キャパシタ，さらに緩やかな電圧上昇で第１キャパシタに保存されるので，外部に出力されるガンマ基準電圧の揺れを防止して，安定したガンマ基準電圧を発生させることができる。
【００１２】
ここで，第１キャパシタは，隣接する抵抗間の共通ノード，及び，２個の電源電圧の低準位の電源電圧の間に，各々接続されるとよい。また，複数の抵抗は，同じ抵抗値を有するとよい。これは，ガンマ基準電圧が一定の間隔を有することにより，ガンマ基準電圧発生回路が備えられる画像表示装置が多段階の階調を均一に表現することができるためである。
【００１３】
また，複数の第１キャパシタは，同じキャパシタンス値を有するとよい。これにより，出力端を介して出力されるガンマ基準電圧が均一な安定度を有することができる。このような理由により，複数の第２キャパシタは，同じキャパシタンス値を有するとよい。
【００１４】
さらに，第２キャパシタのキャパシタンス値は，第１キャパシタのキャパシタンス値より大きくすることができる。こうして，抵抗及びキャパシタによる回路の時定数ＲＣ値を増加させることで，ガンマ基準電圧の安定度を更に向上させることができる。
【００１５】
また，第２キャパシタは，極性キャパシタからなるとよい。極性キャパシタである場合には，直流電圧に存在する微細な交流成分を効果的に除去できるため，ガンマ基準電圧を安定化させるのに更に効果的である。
【００１６】
上記課題を解決するために，本発明の別の観点によれば，複数のピクセルと，各々のピクセルが有するピクセル回路と，ピクセル回路に伝えられるデータ信号に対応して階調を具現する表示パネルと，表示パネルを駆動するデータ信号にガンマ補正を加えるために，ガンマ基準電圧を生成するガンマ基準電圧発生回路と，ガンマ基準電圧及び階調データが入力されて，パネルを駆動するためのデータ信号を出力するデータドライバと，を備え，
ガンマ基準電圧発生回路は，相異なる電圧レベルを有する２個の電源電圧の間に直列に接続される複数の抵抗によって，分圧されたガンマ基準電圧を出力する抵抗アレイと，隣接する抵抗間の共通ノード，及び，２個の電源電圧の何れか一方の電源電圧の間に，各々接続される複数の第１キャパシタと，抵抗に各々並列に接続される複数の第２キャパシタと，を備えることを特徴とする，平板表示装置が提供される。
【００１７】
上記のガンマ基準電圧発生回路を平板表示装置に備えることにより，ガンマ基準電圧発生回路において，ガンマ基準電圧を出力する抵抗アレイに，容量性素子の第１キャパシタ及び第２キャパシタを接続することにより，時定数が増加する。これにより，抵抗により分圧された電圧が緩やかな電圧上昇で第２キャパシタ，さらに第１キャパシタに保存されるので，外部に出力されるガンマ基準電圧の揺れを防止して，安定したガンマ基準電圧を発生させ，階調表現時に発生するエラーを減少させ，平板表示装置の画質を向上させることができる。
【００１８】
上記のように，第１キャパシタは，隣接する抵抗間の共通ノード，及び２個の電源電圧の低準位の電源電圧の間に，各々接続されるとよい。また，複数の抵抗は，同じ抵抗値を有するとよい。これは，ガンマ基準電圧が一定の間隔を有することにより，ガンマ基準電圧発生回路が備えられる画像表示装置が多段階の階調を均一に表現することができるためである。
【００１９】
また，複数の第１キャパシタは，同じキャパシタンス値を有するとよい。これにより，出力端を介して出力されるガンマ基準電圧が均一な安定度を有することができる。このような理由により，複数の第２キャパシタは，同じキャパシタンス値を有するとよい。
【００２０】
さらに，第２キャパシタのキャパシタンス値は，第１キャパシタのキャパシタンス値より大きくすることができる。こうして，抵抗及びキャパシタによる回路の時定数ＲＣ値を増加させることで，ガンマ基準電圧の安定度を更に向上させることができる。
【００２１】
また，第２キャパシタは，極性キャパシタからなるとよい。極性キャパシタである場合には，直流電圧に存在する微細な交流成分を効果的に除去できるため，ガンマ基準電圧を安定化させるのに更に効果的である。
【００２２】
ここで，データドライバは，デジタル信号をアナログ信号に変換するＤＡコンバータを備え，ガンマ基準電圧発生回路は，ガンマ基準電圧をＤＡコンバータに出力することができる。この時ＤＡコンバータは，ガンマ基準電圧受信部を更に備え，ガンマ基準電圧発生回路から出力されるガンマ基準電圧を受信する。
【００２３】
データドライバは，クロック信号に同期して，開始信号を順次にシフトさせて出力するシフトレジスタと，シフトレジスタから出力された信号に同期して，階調データの出力を制御するラッチと，を更に備えることができる。
【００２４】
また，ＤＡコンバータは，第１電源と第２電源との間に，複数の分圧用抵抗が直列に接続された抵抗列と，隣接する分圧用抵抗の共通ノードに各々接続され，分圧用抵抗によって分圧された電圧を選択して出力する複数のスイッチング素子と，を備えることができ，デジタル／アナログ変換を行う。この時，第１電源は，ガンマ基準電圧受信部が受信したガンマ基準電圧とすることができる。
【００２５】
このような平板表示装置としては，有機電界発光表示装置が一例として挙げられる。
【発明の効果】
【００２６】
以上詳述したように本発明によれば，ガンマ基準電圧発生回路に備えられる抵抗アレイに第１キャパシタ及び第２キャパシタを更に連結させて，ガンマ基準電圧を安定化して発生させることにより，表示パネルに印加されるデータ信号を安定化できるため，階調具現時にエラー発生を効果的に防止できる。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
図３は，本実施の形態に係るガンマ基準電圧発生回路を示す図面である。図３に示すように，ガンマ基準電圧発生回路は，相異なる電圧レベルを有する２個の電源電圧の間に直列に連結される複数の抵抗Ｒ１〜ＲＮを有する抵抗アレイを備える。この時，２個の電源電圧は，高準位の第１電源電圧ＶＣＣと低準位の第２電源電圧ＧＮＤとからなりうる。低準位の第２電源電圧ＧＮＤは，グラウンド準位とすることができる。
【００２９】
また，抵抗アレイには複数の第１キャパシタＣｎ１〜Ｃｎ（Ｎ−１）が連結され，特に，第１キャパシタＣｎ１〜Ｃｎ（Ｎ−１）は，複数の抵抗Ｒ１〜ＲＮで隣接する抵抗間の共通ノードと，２個の電源電圧のうち，何れか一つの電源電圧との間にそれぞれ連結させる。また，第１キャパシタＣｎ１〜Ｃｎ（Ｎ−１）と連結される電源電圧は，２個の電源電圧のうち，低準位の電源電圧の第２電源電圧ＧＮＤを連結させることができる。
【００３０】
また，複数の容量性素子が複数の抵抗Ｒ１〜ＲＮとそれぞれ並列連結され，図３で，前記複数の容量性素子は，複数の第２キャパシタＣｍ１〜Ｃｍ（Ｎ）からなっている。前記のように構成されるガンマ基準電圧発生回路は，第１電源電圧ＶＣＣと第２電源電圧ＧＮＤとの間の電圧が，前記二電源電圧の間に直列に連結される抵抗アレイＲ１〜ＲＮにより分圧される。
【００３１】
一方，複数の第１キャパシタＣｎ１〜Ｃｎ（Ｎ−１）で，第一のキャパシタＣｎ１は，抵抗Ｒ１と抵抗Ｒ２との間の共通ノードｂと，第２電源電圧ＧＮＤとの間の電圧に該当する値を保存する。また，第１キャパシタＣｎ１〜Ｃｎ（Ｎ−１）で，第二のキャパシタＣｎ２は，抵抗Ｒ２とＲ３との間の共通ノードｃと，第２電源電圧ＧＮＤとの間の電圧に該当する値を保存し，第ｎ−１キャパシタＣｎ（Ｎ−１）は，抵抗Ｒ（Ｎ−１）とＲＮとの間の共通ノードｊと，第２電源電圧ＧＮＤとの間の電圧に該当する値を保存する。
【００３２】
一方，複数の第２キャパシタＣｍ１〜Ｃｍ（Ｎ）は，抵抗アレイの各抵抗により分圧された電圧に該当する値を保存する。これにより，第２キャパシタＣｍ１〜Ｃｍ（Ｎ）で，第一のキャパシタＣｍ１は，抵抗Ｒ１に分圧されるａノードとｂノードとの間の電圧に該当する値を保存する。
【００３３】
これと同様に，第２キャパシタＣｍ１〜Ｃｍ（Ｎ）で，第二のキャパシタＣｍ２は，抵抗Ｒ２に分圧される電圧値のｂノードとｃノードとの間の電圧に該当する値を保存し，第ＮキャパシタＣｍ（Ｎ）は，抵抗ＲＮに分圧される電圧値のｊノードと第２電源電圧ＧＮＤとの間の電圧に該当する値を保存する。
【００３４】
図３で，二つの電源電圧ＶＣＣ，ＧＮＤは，電源電圧の間に直列連結された複数の抵抗Ｒ１〜ＲＮにより分圧され，分圧された電源電圧は，ガンマ基準電圧として外部に出力される。この場合，ガンマ基準電圧を受信する受信部の抵抗ロードにより，ガンマ基準電圧は，電圧が揺れるなどの不安定な状態で受信されることがある。
【００３５】
本実施の形態で適用される複数のキャパシタは，前記のようにガンマ基準電圧発生回路が不安定な状態のガンマ基準電圧を出力することを防止するためのものである。このために，抵抗アレイＲ１〜ＲＮに第１キャパシタＣｎ１〜Ｃｎ（Ｎ−１）及び第２キャパシタＣｍ１〜Ｃｍ（Ｎ）を追加して連結することで，抵抗アレイＲ１〜ＲＮのそれぞれの抵抗に分圧されて出力されるガンマ基準電圧を安定化させる。
【００３６】
一般的にキャパシタＣは，容量性素子であるため，所定の抵抗Ｒと並列に連結される場合には，抵抗Ｒに分圧される電圧に該当する値を保存し，特に，電圧を保存するにあたって所定の時定数ＲＣを有する。これにより，キャパシタＣに保存される電圧は，時定数ＲＣによって徐々に上昇し，キャパシタＣ固有のキャパシタンスの値が大きくなる場合には，時定数ＲＣ値が増加するため，抵抗Ｒに分配された電圧に該当する値を保存する時間が増加する。
【００３７】
前記のように構成されるガンマ基準電圧発生回路は，複数の抵抗Ｒ１〜ＲＮで隣接する抵抗間の共通ノードと連結された出力端を介してガンマ基準電圧Ｖｒｅｆ１〜Ｖｒｅｆ（Ｎ−１）を外部に出力する。この場合，第１キャパシタＣｎ１〜Ｃｎ（Ｎ−１）で第一のキャパシタＣｎ１は，第一の抵抗Ｒ１と第二の抵抗Ｒ２との間の共通ノードｂと，グラウンド電位との間の電圧値を保存する。第一のキャパシタＣｎ１は，所定の時定数ＲＣ値により緩やかな傾斜によって電圧値を保存するため，外部に出力されるガンマ基準電圧Ｖｒｅｆ１〜Ｖｒｅｆ（Ｎ−１）の揺れを防止して，安定したガンマ基準電圧Ｖｒｅｆ１〜Ｖｒｅｆ（Ｎ−１）を発生させることができる。
【００３８】
前記と同じ原理として，第１キャパシタＣｎ１〜Ｃｎ（Ｎ−１）で第二のキャパシタＣｎ２〜第Ｎ−１キャパシタＣｎ（Ｎ−１）は，複数の抵抗Ｒ１〜ＲＮで隣接する抵抗間の共通ノードｃ〜ｊと，グラウンド電位との間の電圧値をそれぞれ保存し，外部に出力されるガンマ基準電圧を安定化させることができる。
【００３９】
一方，本実施の形態のガンマ基準電圧発生回路で，複数の抵抗Ｒ１〜ＲＮは，第２キャパシタＣｍ１〜Ｃｍ（Ｎ）とそれぞれ並列連結されるため，第２キャパシタＣｍ１〜Ｃｍ（Ｎ）の共通ノードｐ〜ｚに該当する電圧が第１キャパシタＣｎ１〜Ｃｎ（Ｎ−１）に保存される。
【００４０】
これにより，複数の抵抗Ｒ１〜ＲＮにより分圧された電圧が第２キャパシタＣｍ１〜Ｃｍ（Ｎ）により緩やかな曲線を描く形態に保存される。また，第１キャパシタＣｎ１〜Ｃｎ（Ｎ−１）は，安定した電圧を有する共通ノードｐ〜ｚとグラウンド電位との間の電圧値を保存するため，外部に出力されるガンマ基準電圧Ｖｒｅｆ１〜Ｖｒｅｆ（Ｎ−１）を更に安定化させることができる。
【００４１】
一方，本実施の形態に係るガンマ基準電圧発生回路で，第２キャパシタＣｍ１〜Ｃｍ（Ｎ）は，従来ガンマ基準電圧発生回路に含まれていた第１キャパシタＣｎ１〜Ｃｎ（Ｎ−１）より更に大きい値のキャパシタンスを有することが好ましい。こうして，抵抗及びキャパシタによる回路の時定数ＲＣ値を増加させることで，ガンマ基準電圧の安定度を更に向上させることができる。図３の場合，第１キャパシタＣｎ１〜Ｃｎ（Ｎ−１）のキャパシタンス値が約１μＦであるのに対し，第２キャパシタＣｍ１〜Ｃｍ（Ｎ）は，約１０μＦのキャパシタンス値を有する。
【００４２】
また，ガンマ基準電圧発生回路に備えられる複数の抵抗Ｒ１〜ＲＮは，ほぼ同じ抵抗値を有することが好ましい。これは，ガンマ基準電圧Ｖｒｅｆ１〜Ｖｒｅｆ（Ｎ−１）が一定の間隔を有することが，ガンマ基準電圧発生回路が備えられる画像表示装置が多段階の階調を均一に表現するのに適するためである。
【００４３】
これと同様に，第１キャパシタＣｎ１〜Ｃｎ（Ｎ−１）のキャパシタンス値もそれぞれ同じ値を有することが好ましい。これにより，出力端を介して出力されるガンマ基準電圧Ｖｒｅｆ１〜Ｖｒｅｆ（Ｎ−１）が均一な安定度を有する。前記のような理由により，第２キャパシタＣｍ１〜Ｃｍ（Ｎ）のキャパシタンス値もそれぞれ同じ値を有するとよい。
【００４４】
また，第２キャパシタＣｍ１〜Ｃｍ（Ｎ）は，極性を有するキャパシタからなるとよい。極性キャパシタが適用される場合，直流電圧に存在する微細な交流成分を効果的に除去できるため，ガンマ基準電圧を安定化させるのに更に効果的である。
【００４５】
一方，図面を参照して本実施の形態に係る平板表示装置を説明すれば，次の通りである。図４は，本実施の形態に係る平板表示装置を示す概略説明図であって，図５は，図４に示すピクセルに形成される回路の一例を示す図面である。特に，図４は，一実施例であって，有機ＥＬが適用された場合を図示したものであって，ガンマ基準電圧を利用して，パネルを駆動するためのデータ信号を出力する，その他の平板表示装置にも同様に適用できる。
【００４６】
図４に示すように，本実施の形態の平板表示装置１００は，複数のピクセルと，複数のピクセルのそれぞれに備えられたピクセル回路１４０と，ピクセル回路１４０に伝えられるデータ信号に対応して階調を具現する表示パネル１１０と，を備える。また，図４の表示パネル１１０には，複数のスキャンラインが表示パネル１１０に沿って横方向に延びており，データ信号を伝達するためのデータラインは，縦方向に延びている。
【００４７】
一方，スキャンドライバ１２０は，スキャンラインを介してスキャン信号Ｓ［１］〜Ｓ［ｎ］を表示パネル１１０に出力することにより，表示パネル１１０を構成する複数のピクセルをライン単位で選択する。
【００４８】
また，データドライバ１３０は，データラインを介して発光度を制御するデータ信号Ｄ［１］〜Ｄ［ｍ］を表示パネル１１０に出力する。これにより，スキャン信号Ｓ［１］〜Ｓ［ｎ］によって選択されたピクセルには，データ信号Ｄ［１］〜Ｄ［ｍ］の情報が伝えられる。一方，表示パネル１１０には所定の電源電圧ライン（図示せず）が別途に形成されて，複数のピクセル回路１４０に一定の電圧を供給する。
【００４９】
一方，本実施の形態に係る平板表示装置は，ガンマ補正されたデータ信号によりパネルが駆動されるように，ガンマ基準電圧を生成するガンマ基準電圧発生回路１５０を更に備える。ガンマ基準電圧発生回路１５０は，二つの電源電圧ＶＣＣ，ＧＮＤを複数の抵抗Ｒ１〜ＲＮを介して分圧し，これにより発生したガンマ基準電圧を外部に出力する。また，揺れを防止して安定したガンマ基準電圧を出力するために，複数の容量性素子を更に備える。
【００５０】
特に，複数の容量性素子として，所定のキャパシタンス値を有する複数のキャパシタが適用されることが好ましい。二つの電源電圧は，高準位の第１電源電圧ＶＣＣと，低準位の第２電源電圧ＧＮＤとからなりうる。また，低準位の第２電源電圧ＧＮＤは，グラウンド電圧とすることができる。
【００５１】
また，複数のキャパシタとして，第１キャパシタＣｎ１〜Ｃｎ（Ｎ−１）を備え，第１キャパシタＣｎ１〜Ｃｎ（Ｎ−１）は，複数の抵抗Ｒ１〜ＲＮで隣接する抵抗間の共通ノードと，２個の電源電圧のうち，低準位の電源電圧の第２電源電圧ＧＮＤとの間にそれぞれ位置する。
【００５２】
また，複数の抵抗Ｒ１〜ＲＮとそれぞれ並列連結される複数の第２キャパシタＣｍ１〜Ｃｍ（Ｎ）を更に備える。前記のように構成される平板表示装置に備えられるガンマ基準電圧発生回路１５０は，図３に示すガンマ基準電圧発生回路と同様に動作し，これにより，出力されるガンマ基準電圧Ｖｒｅｆ１〜Ｖｒｅｆ（Ｎ−１）を安定化させることができる。
【００５３】
図５は，図４に示すピクセルに形成される回路の一例を示す図面であり，ピクセル回路は，平板表示装置に要求される動作及び特性によって，回路に適用される素子の種類，個数及び連結状態と関連して多少変形が可能である。図５に示すように，ピクセル回路は，有機発光素子ＯＬＥＤ，二つのトランジスタＭ１，Ｍ２及び一つのキャパシタＣｓｔを備える。
【００５４】
二つのトランジスタで第１トランジスタＭ１は，駆動トランジスタとして使用され，第２トランジスタＭ２は，スイッチングトランジスタとして使用される。また，第１トランジスタＭ１，第２トランジスタＭ２は，薄膜トランジスタＴＦＴで具現されるとよい。
【００５５】
第２トランジスタＭ２の第１電極（ソース電極）は，データラインに連結され，主電極（ゲート電極）にスキャン信号Ｓ［ｎ］が印加される。この時，第２トランジスタＭ２は，スキャン信号Ｓ［ｎ］に応答してオン／オフ制御される。図５のように，トランジスタがＰＭＯＳである場合，第２トランジスタＭ２は，ローレベルのスキャン信号Ｓ［ｎ］によってオンになる。第２トランジスタＭ２がオンされれば，データラインを介してデータ信号Ｄ［ｍ］がピクセル回路１４０の内部に印加される。
【００５６】
キャパシタＣｓｔは，第１トランジスタＭ１の第１電極と主電極との間に連結されて，第２トランジスタＭ２を介して印加されるデータ信号によるデータ電圧Ｖｄａｔａを一定期間維持する。また，第１トランジスタＭ１は，キャパシタＣｓｔの両端子の間にかかった電圧に対応する電流を有機発光素子ＯＬＥＤに供給する。
【００５７】
キャパシタＣｓｔの両端子に保存される電圧は，所定の電源電圧ＶＤＤ及びデータ電圧Ｖｄａｔａに関わるため，ピクセル回路１５０に印加されるデータ信号が不安定な場合には，階調表現時にエラーが発生する。したがって，図４に示すように，ガンマ基準電圧を安定的に出力させるガンマ基準電圧発生回路１５０を平板表示装置に適用することによって，従来に発生していた不安定なデータ信号による階調表現のエラーを効果的に防止できる。
【００５８】
本実施の形態に係る平板表示装置においては，前述したように，ガンマ基準電圧発生回路１５０に備えられる複数の抵抗Ｒ１〜ＲＮは，ほぼ同じ抵抗値を有することが好ましい。また，第１キャパシタＣｎ１〜Ｃｎ（Ｎ−１）のキャパシタンス，及び第２キャパシタＣｍ１〜Ｃｍ（Ｎ）のキャパシタンスも，それぞれほぼ同じキャパシタンス値を有することが好ましい。
【００５９】
これにより，ガンマ基準電圧発生回路１５０が備えられる平板表示装置１００が，多段階の階調を均一に表現できる。また，キャパシタンスの値を同じくすることで，出力端を介して出力されるガンマ基準電圧Ｖｒｅｆ１〜Ｖｒｅｆ（Ｎ−１）が均一な安定度を有する。また，前述したような理由により，第２キャパシタＣｍ１〜Ｃｍ（Ｎ）のキャパシタンス値を第１キャパシタ（Ｃｎ１〜Ｃｎ（Ｎ−１））のキャパシタンス値より更に大きくするとよく，第２キャパシタＣｍ１〜Ｃｍ（Ｎ）は極性を有するキャパシタからなるようにすることよい。
【００６０】
上記のような安定化されたガンマ基準電圧が出力される，データドライバ及びデータドライバに備えられるＤＡコンバータを図６及び図７を参照して説明する。図６は，図４に示すデータドライバを示すブロック図であり，図７は，図６に示すＤＡコンバータを示す回路図である。
【００６１】
図６に示すデータドライバ１３０は，ガンマ基準電圧発生回路により生成されたガンマ基準電圧Ｖｒｅｆ及び階調データが入力されて，パネルを駆動するためのデータ信号Ｄ［ｍ］を出力する。このために，データドライバ１３０は，デジタル信号をアナログ変換するＤＡコンバータ（ＤＡＣ）１３３を備え，ガンマ基準電圧発生回路は，発生したガンマ基準電圧Ｖｒｅｆをデータドライバ１３０に備えられたＤＡコンバータ１３３に出力する。
【００６２】
また，データドライバ１３０は，クロック信号ＣＬＫに同期して開始信号ＳＰを順次にシフトさせて出力するシフトレジスタ（Ｓ／Ｒ）１３１と，シフトレジスタ１３１から出力された信号に同期して，階調データＲ／Ｇ／Ｂｄａｔａの出力を制御するラッチ（ＬＡＴＣＨ）１３２と，を更に備えることができる。
【００６３】
さらに，図７に示すように，ＤＡコンバータ１３３は，ガンマ基準電圧発生回路１５０から出力されるガンマ基準電圧Ｖｒｅｆ（第１電源）を受信するガンマ基準電圧受信部１３３ａを備え，ガンマ基準電圧Ｖｒｅｆ及びデジタル形式の階調データＲ／Ｇ／Ｂｄａｔａが入力されて，アナログ形式のデータ信号Ｄ［ｍ］を表示パネルに出力する。
【００６４】
図７に示すように，一般的にＤＡコンバータ１３３は，ガンマ基準電圧Ｖｒｅｆと所定の第２電源ＧＮＤとの間に直列連結される複数の抵抗Ｒｄ１〜Ｒｄ（Ｌ−１）（分圧用抵抗）を有する抵抗列を備える。抵抗列Ｒｄ１〜Ｒｄ（Ｌ−１）によってガンマ基準電圧Ｖｒｅｆと所定の第２電源ＧＮＤとの間の電圧が分圧される。
【００６５】
また，ＤＡコンバータ１３３は，デジタル形式の階調データに応答して，抵抗列Ｒｄ１〜Ｒｄ（Ｌ−１）により分圧された電圧を外部に出力Ｖｏｕｔする複数のスイッチング素子Ｓ１〜ＳＬを備える。複数のスイッチング素子Ｓ１〜ＳＬは，所定の階調データによって抵抗列Ｒｄ１〜Ｒｄ（Ｌ−１）により分圧される特定の電圧を選択することでデジタル／アナログ変換を行う。
【００６６】
ＤＡコンバータ１３３は，図７に示すようにガンマ基準電圧受信部１３３ａを介して，ガンマ基準電圧発生回路１５０から出力されたガンマ基準電圧Ｖｒｅｆを受信する。この場合，ガンマ基準電圧受信部１３３ａは，前述したように，抵抗列Ｒｄ１〜Ｒｄ（Ｌ−１）が連結されており，受信されるガンマ基準電圧が抵抗ロードにより揺れが発生することがある。特に，この場合，データ信号のＤＡ変換において，高速で動作する下位ビットに行くほど画質が大きく低下する可能性がある。
【００６７】
しかし，本実施の形態によるガンマ基準電圧発生回路により，ガンマ基準電圧を出力する抵抗アレイに，容量性素子の第１キャパシタ及び第２キャパシタを接続することによって，外部に出力されるガンマ基準電圧の揺れを防止して，安定したガンマ基準電圧を発生させ，階調表現時に発生するエラーを減少させて平板表示装置の画質を向上させることができる。
【００６８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６９】
本発明は，ガンマ基準電圧発生回路に適用可能であり，安定した基準電圧を出力するガンマ基準電圧発生回路，及びそれを備える平板表示装置に適用可能である。
【図面の簡単な説明】
【００７０】
【図１】従来の有機ＥＬ構造の一例を概略的に示す説明図である。
【図２】従来のガンマ基準電圧発生回路を示す説明図である。
【図３】本実施の形態に係るガンマ基準電圧発生回路を示す説明図である。
【図４】本実施の形態に係る平板表示装置を示す概略説明図である。
【図５】図４に示すピクセルに形成される回路の一例を示す回路図である。
【図６】図４に示すデータ駆動部を示すブロック図である。
【図７】図６に示すＤＡコンバータを示す回路図である。
【符号の説明】
【００７１】
Ｒ１〜ＲＮ                  抵抗アレイ
ＶＣＣ                    第１電源電圧
ＧＮＤ                  第２電源電圧
Ｃｎ１〜Ｃｎ（Ｎ−１）        第１キャパシタ
Ｃｍ１〜Ｃｍ（Ｎ）            第２キャパシタ
Ｖｒｅｆ１〜Ｖｒｅｆ（Ｎ−１）  ガンマ基準電圧
ａ〜ｊ                      共通ノード
ｐ〜ｚ                      共通ノード
【図１】
2006313306.tif 000003
【図２】
2006313306.tif 000004
【図３】
2006313306.tif 000005
【図４】
2006313306.tif 000006
【図５】
2006313306.tif 000007
【図６】
2006313306.tif 000008
【図７】
2006313306.tif 000009